(57)【要約】【課題】複数のユーザによって視認される表示装置において、画面全体の視認性を損なうことなく、入力などの作業を行うユーザの視認性を向上させる。【解決手段】表示制御装置１は、表示パネル２０の表示領域について予め定められた第１表示条件の第１輝度となるようにバックライト３０を点灯させる。表示制御装置１は、表示領域において接触位置が検出されたときに接触位置を基準とする制御領域を特定する。そして、制御領域に対しては、第１表示条件に替えて、第１表示条件より眩輝感が低減される第２表示条件の第２輝度を用いてバックライト３０を点灯させ、制御領域ではない他の領域に対しては、第１表示条件の第１輝度を用いてバックライト３０を点灯させる。【選択図】図１
2015121567.tif 000002
【特許請求の範囲】
【請求項１】
表示パネルの表示領域における接触位置を示す位置情報が入力されたときに、前記表示領域のうち、前記位置情報に基づく前記接触位置を基準とする予め定められた範囲を制御領域として特定する特定手段と、
前記特定手段で特定された前記制御領域には、前記制御領域を含む全ての前記表示領域について予め定められている第１表示条件に替えて、前記第１表示条件より眩輝感が低減される第２表示条件を用いた表示制御を行い、前記制御領域以外の他の表示領域には、前記第１表示条件を用いた表示制御を行う制御手段と、
を備える表示制御装置。
【請求項２】
前記第１表示条件は、前記全ての表示領域において予め定められた第１輝度となるように前記表示パネルの背面から照射手段に光を照射させる条件であり、
前記第２表示条件は、前記制御領域には、前記第１輝度より小さい第２輝度となるように前記照射手段から光を照射させ、前記他の領域には、前記第１輝度となるように前記照射手段から光を照射させる条件である、請求項１に記載の表示制御装置。
【請求項３】
前記第１表示条件は、入力される画像データに予め定められた第１の階調値に基づいて、前記表示領域に画像を表示させる条件であり、
前記第２表示条件は、前記制御領域に対して入力される画像データの前記第１の階調値を前記第１の階調値より小さい第２の階調値に替えて前記制御領域に画像を表示させ、前記他の領域に対して入力される画像データの前記第１の階調値に基づいて前記他の領域に画像を表示させる条件である、請求項１に記載の表示制御装置。
【請求項４】
前記第１表示条件は、入力される画像データに予め定められた第１の電圧値に基づいて、前記表示領域に画像を表示させる条件であり、
前記第２表示条件は、前記制御領域に対して入力される画像データの前記第１の電圧値を前記第１の電圧値より小さい第２の電圧値に替えて前記制御領域に画像を表示させ、前記他の領域に対して入力される画像データの前記第１の電圧値に基づいて前記他の領域に画像を表示させる条件である、請求項１に記載の表示制御装置。
【請求項５】
前記第１表示条件は、前記表示パネルと重なるように設けられたフィルターにおいて、予め定められた色の第２フィルター画像を前記表示領域と対応するフィルター領域に表示させる条件であり、
前記第２表示条件は、前記制御領域に対応するフィルター領域の部分には、前記第２フィルター画像より明度が低い第１フィルター画像を表示させ、前記他の領域に対応するフィルター領域の部分には、前記第２フィルター画像を表示させる条件である、請求項１に記載の表示制御装置。
【請求項６】
前記第１表示条件は、入力される画像データに予め定められた第１の電流値に基づいて、前記表示領域に画像を表示させる条件であり、
前記第２表示条件は、前記制御領域に対して入力される画像データの前記第１の電流値を前記第１の電流値より小さい第２の電流値に替えて前記制御領域に画像を表示させ、前記他の領域に対して入力される画像データの前記第１の電流値に基づいて前記他の領域に画像を表示させる条件である、請求項１に記載の表示制御装置。
【請求項７】
周囲の光を検出する光検出手段を備え、
前記制御手段は、前記光検出手段の検出結果に基づいて、少なくとも前記第２表示条件を調整する、請求項１から６のいずれか一項に記載の表示制御装置。
【請求項８】
入力するユーザの顔の向きを検出する顔検出手段を備え、
前記制御手段は、前記顔検出手段が検出した前記ユーザの顔の向きが前記表示領域の方向を向いている場合に、前記第２表示条件を用いた表示制御を行う、請求項１から７のいずれか一項に記載の表示制御装置。
【請求項９】
前記制御手段は、前記第２表示条件を用いた表示制御を開始してから予め定められた時間が経過した場合、前記第２表示条件に替えて、前記第１表示条件を用いて前記制御領域の表示制御を行う、請求項１から８のいずれか一項に記載の表示制御装置。
【請求項１０】
請求項１から９のいずれか一項に記載の表示制御装置と、
前記表示制御装置に指示された画像を表示する表示パネルと、
ユーザによって接触された位置を示す位置情報を前記表示制御装置に出力するタッチパネルと、
を備える表示装置。
【発明の詳細な説明】
【技術分野】
【０００１】
本発明は、表示制御装置及び表示装置に関し、特に複数のユーザによって視認される表示装置の表示を制御する技術に関する。
【背景技術】
【０００２】
近年、電子黒板などの大型の表示画面を有する表示装置について種々の表示制御技術が開発されている。下記特許文献１には、電子黒板に入力を行う入力者の意図に沿う描画データを表示する技術が開示されている。また、特許文献２には、表示装置とユーザとの相対的な位置関係に応じて音や画面の輝度を変化させる技術が開示されている。
【先行技術文献】
【特許文献】
【０００３】
【特許文献１】特開２００９−１６６２９３号公報
【特許文献２】特開２０１１−２４７９８３号公報
【発明の概要】
【発明が解決しようとする課題】
【０００４】
ところで、電子黒板などの大型の表示装置は、ある程度離れた位置から複数のユーザによって見られることを考慮した画面の明るさとなっている。そのため、表示装置に近づいて入力を行うユーザにとって表示装置の画面は眩しく感じられ、このような環境での長時間の作業はユーザに苦痛を強いるものとなっている。
【０００５】
本発明は、複数のユーザによって視認される表示装置において、画面全体の視認性を損なうことなく、入力などの作業を行うユーザの視認性を向上させる技術を提供する。
【課題を解決するための手段】
【０００６】
本発明の表示装置は、表示パネルの表示領域における接触位置を示す位置情報が入力されたときに、前記表示領域のうち、前記位置情報に基づく前記接触位置を基準とする予め定められた範囲を制御領域として特定する特定手段と、前記特定手段で特定された前記制御領域には、前記制御領域を含む全ての前記表示領域について予め定められている第１表示条件に替えて、前記第１表示条件より眩輝感が低減される第２表示条件を用いた表示制御を行い、前記制御領域以外の他の表示領域には、前記第１表示条件を用いた表示制御を行う制御手段と、を備える。
【発明の効果】
【０００７】
本発明の表示装置は、画面全体の視認性を損なうことなく、入力などの作業を行うユーザの視認性を向上させることができる。
【図面の簡単な説明】
【０００８】
【図１】図１は、第１の実施形態に係る表示装置の構成例を示すブロック図である。
【図２】図２は、第１の実施形態の表示パネルに接続された各部を示すブロック図である。
【図３】図３は、第１の実施形態における電圧変換曲線の例を示す図である。
【図４】図４は、第１の実施形態におけるバックライトを模式的に表した図である。
【図５Ａ】図５Ａは、入力するユーザの視野範囲を説明する図である。
【図５Ｂ】図５Ｂは、第１の実施形態の制御領域の例を示す図である。
【図５Ｃ】図５Ｃは、本発明の制御領域の例を示す図である。
【図６】図６は、第１の実施形態に係る表示装置の動作例を示す動作フローである。
【図７】図７は、第２の実施形態に係る表示装置の動作例を示す動作フローである。
【図８】図８は、第３の実施形態に係る表示パネルに接続された各部を示すブロック図である。
【図９】図９は、第３の実施形態における電圧変換曲線の例を示す図である。
【図１０】図１０は、第３の実施形態に係る表示装置の動作例を示す動作フローである。
【図１１Ａ】図１１Ａは、第４の実施形態に係る表示装置の構成例を示すブロック図である。
【図１１Ｂ】図１１Ｂは、第４の実施形態に係るフィルターの配置例を示す図である。
【図１２】図１２は、第４の実施形態に係る表示装置の動作例を示す動作フローである。
【図１３】図１３は、変形例（１）における表示装置の明るさと周囲の明るさとの関係を例示した図である。
【発明を実施するための形態】
【０００９】
本発明の一実施形態に係る表示制御装置は、表示パネルの表示領域における接触位置を示す位置情報が入力されたときに、前記表示領域のうち、前記位置情報に基づく前記接触位置を基準とする予め定められた範囲を制御領域として特定する特定手段と、前記特定手段で特定された前記制御領域には、前記制御領域を含む全ての前記表示領域について予め定められている第１表示条件に替えて、前記第１表示条件より眩輝感が低減される第２表示条件を用いた表示制御を行い、前記制御領域以外の他の表示領域には、前記第１表示条件を用いた表示制御を行う制御手段と、を備える（第１の構成）。眩輝感は、表示パネルから放射される光を表示領域に接触したユーザの位置において感じる眩しさを表す。一般的に、表示パネルの表示領域に入力などの作業を行う場合、入力する位置を見ながら作業を行う。従って、表示領域に接触された位置は、ユーザが見ている位置に相当する。本構成においては、表示領域のうち、ユーザが接触した位置を基準とする予め定めた範囲を制御領域とし、制御領域は第２表示条件に従って表示し、他の領域は第１表示条件に従って表示することで制御領域の明るさを調整する。その結果、表示領域全体の視認性を損なうことなく、入力などの作業を行うユーザの視認性を向上させることができる。
【００１０】
第２の構成は、前記第１の構成において、前記第１表示条件は、前記全ての表示領域において予め定められた第１輝度となるように前記表示パネルの背面から照射手段に光を照射させる条件であり、前記第２表示条件は、前記制御領域には、前記第１輝度より小さい第２輝度となるように前記照射手段から光を照射させ、前記他の領域には、前記第１輝度となるように前記照射手段から光を照射させる条件であることとしてもよい。本構成においては、制御領域に照射される光が他の領域より弱くなるため、入力などの作業を行う際の画面の眩しさが軽減される。
【００１１】
第３の構成は、前記第１の構成において、前記第１表示条件は、入力される画像データに予め定められた第１の階調値に基づいて、前記表示領域に画像を表示させる条件であり、前記第２表示条件は、前記制御領域に対して入力される画像データの前記第１の階調値を前記第１の階調値より小さい第２の階調値に替えて前記制御領域に画像を表示させ、前記他の領域に対して入力される画像データの前記第１の階調値に基づいて前記他の領域に画像を表示させる条件であることとしてもよい。本構成においては、制御領域には通常の階調より低い階調の画像が表示される。そのため、制御領域は他の領域と比べて暗く表示され、入力などの作業を行う際の画面の眩しさが軽減される。
【００１２】
第４の構成は、前記第１の構成において、前記第１表示条件は、入力される画像データに予め定められた第１の電圧値に基づいて、前記表示領域に画像を表示させる条件であり、前記第２表示条件は、前記制御領域に対して入力される画像データの前記第１の電圧値を前記第１の電圧値より小さい第２の電圧値に替えて前記制御領域に画像を表示させ、前記他の領域に対して入力される画像データの前記第１の電圧値に基づいて前記他の領域に画像を表示させる条件であることとしてもよい。本構成においては、制御領域に通常表示される画像の明るさより暗く表示されるため、入力などの作業を行うユーザの視認性が向上する。
【００１３】
第５の構成は、前記第１の構成において、前記第１表示条件は、前記表示パネルと重なるように設けられたフィルターにおいて、予め定められた色の第２フィルター画像を前記表示領域と対応するフィルター領域に表示させる条件であり、前記第２表示条件は、前記制御領域に対応するフィルター領域の部分には、前記第２フィルター画像より明度が低い第１フィルター画像を表示させ、前記他の領域に対応するフィルター領域の部分には、前記第２フィルター画像を表示させる条件であることとしてもよい。本構成においては、制御領域には他の領域より明度が低いフィルター画像が表示すべき画像と重ねて表示される。その結果、制御領域は他の領域よりも暗く表示され、入力などの作業を行うユーザの視認性が向上する。
【００１４】
第６の構成は、前記第１の構成において、前記第１表示条件は、入力される画像データに予め定められた第１の電流値に基づいて、前記表示領域に画像を表示させる条件であり、前記第２表示条件は、前記制御領域に対して入力される画像データの前記第１の電流値を前記第１の電流値より小さい第２の電流値に替えて前記制御領域に画像を表示させ、前記他の領域に対して入力される画像データの前記第１の電流値に基づいて前記他の領域に画像を表示させる条件であることとしてもよい。本構成においては、制御領域に通常表示される画像の明るさより暗く表示されるため、入力などの作業を行うユーザの視認性が向上する。
【００１５】
第７の構成は、前記第１から第６のいずれかの構成において、周囲の光を検出する光検出手段を備え、前記制御手段は、前記光検出手段の検出結果に基づいて、少なくとも前記第２表示条件を調整することとしてもよい。本構成においては、周囲の明るさに応じて制御領域の明るさを制御することができる。
【００１６】
第８の構成は、前記第１から第７のいずれかの構成において、入力するユーザの顔の向きを検出する顔検出手段を備え、前記制御手段は、前記顔検出手段が検出した前記ユーザの顔の向きが前記表示領域の方向を向いている場合に、前記制御領域について前記第２表示条件を用いた表示制御を行うこととしてもよい。本構成においては、入力などの作業を行うユーザの顔の向きに応じて制御領域の明るさを制御することができる。
【００１７】
第９の構成は、前記第１から第８のいずれかの構成において、前記制御手段は、前記第２表示条件を用いた表示制御を開始してから予め定められた時間が経過した場合、前記第２表示条件に替えて、前記第１表示条件を用いて前記制御領域の表示制御を行うこととしてもよい。本構成においては、第２表示条件を用いて制御された制御領域の明るさが予め定められた時間内維持される。
【００１８】
本発明の一実施形態に係る表示装置は、前記第１から第９の構成のいずれかの表示制御装置と、前記表示制御装置に指示された画像を表示する表示パネルと、ユーザによって接触された位置を示す位置情報を前記表示制御装置に出力するタッチパネルと、を備えることとしてもよい（第９の構成）。本構成においては、画面全体の視認性を損なうことなく、入力などの作業を行うユーザの視認性を向上させることができる。
【００１９】
以下、本発明のより具体的な実施形態について、図面を参照しながら説明する。なお、以下で参照する各図は、説明の便宜上、本発明の実施形態の構成部材のうち、本発明を説明するために必要な主要部材のみを簡略化して示したものである。従って、本発明に係る表示装置は、本明細書が参照する各図に示されていない任意の構成部材を備え得る。また、図中同一又は相当部分には、同一符号を付して、その説明は繰り返さない。
【００２０】
（第１の実施形態）
（構成）
図１は、本発明に係る第１の実施形態の表示装置の構成例を表すブロック図である。図１に示すように、表示装置１は、タッチパネル１０、タッチパネル制御部１１、表示パネル２０、表示パネル制御部２１、バックライト３０、バックライト制御部３１、制御部４０、記憶部５０、操作部６０、及び計時部７０を有する。表示装置１は、例えば、電子黒板であり、表示パネル２０に画像を表示すると共に、ユーザがタッチパネル１０を操作した操作内容に応じた処理を行う。以下、各部の詳細について説明する。
【００２１】
タッチパネル１０は、ユーザが指で操作した操作内容を受け付ける入力手段として機能する。本実施形態では、タッチパネル１０は、例えば、抵抗膜方式のタッチパネルが用いられている。タッチパネル１０は、ユーザの操作を受け付ける入力エリアと後述する表示パネル２０の表示領域とが重なるように配置されている。
【００２２】
タッチパネル制御部１１は、ＣＰＵ（Central Processing Unit）と、ＲＯＭ（Read Only Memory）及びＲＡＭ(Random Access Memory)を含むメモリとを有する。タッチパネル制御部１１は、タッチパネル１０の入力エリア、すなわち、表示領域においてユーザの指が接触した位置に応じた電圧値を検出し、検出結果に基づいて、ユーザの指が接触した位置（絶対座標）を特定する。タッチパネル制御部１１は、特定した位置を示す位置情報を制御部４０へ出力する。なお、本実施形態では、ユーザの指でタッチパネル１０に入力を行う例を説明するが、ペンなどの操作子を用いてタッチパネル１０に入力するようにしてもよい。
【００２３】
表示パネル２０は、本実施形態では、透過型の液晶パネルが用いられている。表示パネル２０は、アクティブマトリクス基板と、対向基板と、液晶層と（いずれも図示略）を備える。アクティブマトリクス基板のドレイン電極側には画素電極が形成されている。対向基板には共通電極が形成されている。液晶層は、アクティブマトリクス基板と対向基板との間に封入されている。表示パネル２０は、マトリクス状に形成された複数の画素（図示略）を有する。これら複数の画素が形成された領域が表示領域となる。本実施形態において、各画素は、Ｒ（赤）、Ｇ（緑）、Ｂ（青）などの複数のサブ画素を有する。
【００２４】
図２は、表示パネル２０に接続されている各部を示すブロック図である。表示パネル制御部２１は、ＣＰＵとメモリ（ＲＯＭ及びＲＡＭ）とを有する。ゲートドライバ２０１は、表示パネル２０のアクティブマトリクス基板に形成されている薄膜トランジスタのゲート電極と接続された複数のゲート線２０３に対して走査信号を送出する。各ゲート線２０３からゲート電極に走査信号が入力されると、走査信号に応じて薄膜トランジスタが駆動される。
【００２５】
ソースドライバ２０２は、電圧変換部２０２ａを有する。電圧変換部２０２ａは、画像データを液晶層のガンマ特性に応じた電圧信号に変換するデジタルアナログ変換回路である。具体的には、電圧変換部２０２ａは、ＲＧＢ毎の図３に例示する電圧変換曲線に基づいて、ＲＧＢの画像データを電圧信号に変換する。ソースドライバ２０２は、表示パネル２０のアクティブマトリクス基板に形成されている薄膜トランジスタのソース電極と接続された複数のソース線に対し、ゲートドライバ２０１の走査信号の出力タイミングと合わせて、電圧信号を送出する。これにより、画素電極と共通電極との間に位置する液晶層において、液晶分子が電圧信号に応じて配向状態を変えることにより、各画素の階調が制御される。その結果、表示パネル２０において画像信号に応じた画像が表示される。
【００２６】
図１に戻り、説明を続ける。バックライト３０は、照射手段の一例である。バックライト３０は、表示パネル２０の背面側（ユーザと反対側）に配置され、表示パネル２０に向けて光を照射する。図４は、本実施形態のバックライト３０を模式的に表した図である。バックライト３０は、直下型のバックライトであり、ＬＥＤ（Light Emitting Diode）で構成された複数の光源３０１を有する。バックライト３０は、バックライト制御部３１からの制御信号に応じて各光源３０１を点灯する。
【００２７】
バックライト制御部３１は、ＣＰＵとメモリ（ＲＯＭ及びＲＡＭ）とを有する。ＲＯＭには、各光源３０１の配置情報として、各光源３０１の位置に対応する表示領域の絶対座標と光源３０１の識別情報とが記憶されている。バックライト制御部３１は、制御部４０からの信号に基づいてバックライト３０の明るさを制御する。本実施形態では、輝度に応じた電圧を示す制御信号をバックライト３０に出力することで明るさを制御する例であるが、ＰＷＭ（Pulse Width Modulation）信号のパルス幅を輝度に応じて変調させた制御信号をバックライト３０に出力して明るさを制御してもよいし、これら２つの制御信号を併用して明るさを制御してもよい。
【００２８】
具体的には、バックライト制御部３１は、制御部４０からバックライト３０の明るさを制御する領域を示す信号を受け付ける。この信号は、表示領域全体を示す信号と、画面の明るさを異ならせる一部の表示領域（以下、制御領域と称する）を示す信号とがある。バックライト制御部３１は、表示領域全体を示す信号を受け付けると、全光源３０１に対し、予め定められている輝度（以下、第１輝度と称する）に応じた制御信号を出力する。また、バックライト制御部３１は、制御領域を示す信号を受け付けると、配置情報を参照し、制御領域の座標を含む光源３０１の座標範囲を特定する。そして、特定した座標範囲の光源３０１に対し、第１輝度より小さい輝度（以下、第２輝度と称する）に対応する制御信号を出力し、他の表示領域に対応する光源３０１に対しては第１輝度に対応する制御信号を出力する。つまり、第２輝度は、第１輝度に応じてバックライト３０を点灯した場合に画面から放射される光の眩輝感を低減するように任意に設定された輝度である。また、バックライト制御部３１は、制御部４０から制御領域を解除することを指示する信号を受け付けると、現在の制御領域に対応する光源３０１に対し、第２輝度に替えて第１輝度に応じた制御信号を出力する。
【００２９】
制御部４０は、ＣＰＵとメモリ（ＲＯＭ及びＲＡＭ）を有する。制御部４０は、ＲＯＭに記憶されている制御プログラムをＣＰＵが実行することにより、制御部４０と接続されている各部を制御する。具体的には、制御部４０は、操作部６０からの操作信号やタッチパネル制御部１１からの位置情報を受け付けて、画像データを生成したり、記憶部５０から画像データを読み出し、表示パネル制御部２１に画像データを示す画像信号を出力する。また、制御部４０は、タッチパネル制御部１１からの位置情報が示す座標を基準として制御領域の座標を特定し、特定した制御領域を示す信号をバックライト制御部３１に出力する。
【００３０】
ここで、制御領域について説明する。制御領域は、ユーザがタッチパネル１０に向かって入力を行うときのユーザの視野を表す。図５Ａは、タッチパネル１０にユーザが入力するときの視野の範囲を表している。具体的には、ユーザの位置Ｐからタッチパネル１０までの視認距離が約６０ｃｍ、人間の中心視野が約３０°である場合、図５Ａに示すように、ユーザの視野範囲は、ユーザが見ている位置を中心として３０±１０ｃｍの範囲となる。
【００３１】
複数のユーザが見るような電子黒板などの表示装置の場合、表示装置から離れた位置で画面を見ることを前提に画面の輝度が均一に設定されている。その結果、上記したタッチパネル３０に入力するユーザの位置においては画面から放射される光が眩しく感じられ、長時間の作業が困難となる。本実施形態では、入力するユーザの視野範囲に相当する制御領域の明るさを他の領域よりも暗くする。すなわち、制御領域については、表示領域に対して予め定められている第１輝度に替えて、第１輝度より低い輝度となる第２輝度となるようにバックライト３０を点灯させる。
【００３２】
本実施形態では、タッチパネル１０にユーザの指が接触している接触位置をユーザが見ている位置とし、図５Ｂに示すように、接触位置Ｐｔを中心とする１辺が３０±１０ｃｍの四角形の範囲を制御領域とする。制御部４０は、四角形の頂点（ａ，ｂ，ｃ，ｄ）の座標を制御領域を示す絶対座標として特定する。具体的には、制御部４０は、接触位置Ｐｔの絶対座標をパラメータとする、制御領域の各頂点の座標を求める演算式を用いて、各頂点の座標を特定する。なお、制御領域の形状は、接触位置Ｐｔを中心とする四角形に限らず、５角形や６角形などの多角形の形状であってもよいし、図５Ｃに示すように、接触位置Ｐｔを中心とする半径３０±１０ｃｍの円などの形状であってもよい。
【００３３】
以上をまとめると、本実施形態において、第１輝度は本発明の第１表示条件の一例であり、第２輝度は本発明の第２表示条件の一例である。また、制御部４０及びバックライト制御部３１は、本発明の特定手段及び制御手段の一例である。
【００３４】
図１に戻り、説明を続ける。記憶部５０は、ハードディスクなどの記憶媒体であり、表示装置１上で動作するアプリケーションプログラム、画像データなどの各種データを記憶する。操作部６０は、表示装置１の電源スイッチ、メニューボタンなどの操作子である。操作部６０は、ユーザによって操作された操作内容を示す操作信号を制御部４０に出力する。計時部７０は、図示しないクロック供給部からのクロック信号をカウントして計時する。
【００３５】
（動作）
図６は、表示装置１の動作フローを示す図である。以下、図６を用いて表示装置１の動作を説明する。なお、本動作例においては、表示装置１は電源スイッチがオンにされた状態であるものとする。
【００３６】
制御部４０は、バックライト制御部３１に対して全表示領域を表す信号を出力する。バックライト制御部３１は、制御部４０からの信号に基づき、バックライト３０に対して第１輝度に対応する制御信号を出力する（ステップＳ１１）。これにより、制御信号が入力されたバックライト３０の各光源３０１は第１輝度に応じた明るさで点灯する。
【００３７】
ユーザがタッチパネル１０に触れると、タッチパネル制御部１１は、ユーザの指が接触した接触位置Ｐｔの座標を検出し、検出した座標データを含む位置情報を制御部４０に送出する(ステップＳ１２：ＹＥＳ)。制御部４０は、タッチパネル制御部１１から出力された位置情報を取得し、計時部７０において計時を開始する。そして、制御部４０は、予め定められた演算式を用いて、取得した位置情報が示す座標を基準とする制御領域の座標を求める（ステップＳ１３）。
【００３８】
制御部４０は、ステップＳ１３で求めた制御領域の座標を示す信号をバックライト制御部３１に送出する。バックライト制御部３１は、ＲＯＭから光源３０１の配置情報を読み出し、制御部４０から出力された信号に基づいて、制御領域の座標を含む光源３０１の座標の範囲を特定する。そして、バックライト制御部３１は、特定した座標範囲に配置されている各光源３０１の識別情報をＲＡＭに記憶する。また、バックライト制御部３１は、これら光源３０１に対し、第１輝度に替えて第２輝度に対応する制御信号を出力する（ステップＳ１４）。これにより、制御領域以外の他の表示領域に対応するバックライト３０の各光源３０１は第１輝度に応じた明るさで点灯し続け、制御領域に対応するバックライト３０の各光源３０１は第２輝度に応じた明るさで点灯する。その結果、制御領域は他の表示領域より暗く表示される。
【００３９】
制御部４０は、タッチパネル制御部１１によって次の接触位置を示す位置情報が送出されず（ステップＳ１５：ＮＯ）、計時部７０によって計時された時間が予め定められた時間を経過していなければ（ステップＳ１６：ＮＯ）、上述したステップＳ１４と同様の処理を行う。つまり、この場合には、ユーザの指がタッチパネル１０上のある位置に接触してから一定の時間が経過するまでタッチパネル１０上のどの位置にも接触されていない状態である。従って、この場合には、一定の時間が経過するまでは、現在の接触位置を基準とする制御領域は他の表示領域よりも暗く表示された状態となる。
【００４０】
また、制御部４０は、計時部７０によって計時された時間が予め定められた時間を経過し（ステップＳ１６：ＹＥＳ）、操作部６０を介して電源をオフにする操作がなされなければ（ステップＳ１７：ＮＯ）、現在の制御領域を解除する信号をバックライト制御部３１に出力し（ステップＳ１８）、上述したステップＳ１１以下の処理を行う。これにより、バックライト３０の全ての光源３０１が第１輝度に応じた明るさで点灯する。一方、電源をオフにする操作がなされ、操作部６０を介してその操作信号を受け付けると（ステップＳ１７：ＹＥＳ）、制御部４０は、表示制御の処理を終了する。
【００４１】
なお、ステップＳ１２において、制御部４０は、タッチパネル制御部１１によって接触位置を示す位置情報が送出されなければ（ステップＳ１２：ＮＯ）、バックライト制御部３１により、バックライト３０の全ての光源３０１が第１輝度に応じた明るさで点灯される状態が継続される（ステップＳ１１）。また、ステップＳ１５において、制御部４０は、タッチパネル制御部１１によって次の接触位置を示す位置情報が送出されると（ステップＳ１５：ＹＥＳ）、上述したステップＳ１３以下の処理を行う。
【００４２】
上述した第１の実施形態では、タッチパネル１０にユーザの指が接触した接触位置を基準とする制御領域については、予め定められた輝度より低い輝度となるようにバックライト３０の光が調整される。その結果、制御領域は他の領域より暗くなるため、タッチパネル１０に入力するユーザの位置では、画面から放射される光による眩しさが軽減され、入力するユーザの視認性が向上する。また、表示装置１から離れた位置では、タッチパネル１０に入力するユーザによって制御領域が見えにくい状態となる上、制御領域が他の領域と比べて暗くなったとしても画面全体としての輝度は大きく低下しないため、離れた位置で見ているユーザの視認性が損なわれない。
【００４３】
（第２の実施形態）
上述した第１の実施形態では、バックライト３０の点灯を制御することにより制御領域の眩輝感を調整する例を説明した。本実施形態では、制御領域に表示される画像の階調を制御することで制御領域の眩輝感を調整する例を説明する。以下、第１の実施形態と異なる部分について説明する。
【００４４】
制御部４０は、タッチパネル１０にユーザの指が接触した場合、接触位置を基準とする制御領域に表示すべき画像データについては、その画像データに予め設定されているＲＧＢの各階調値（以下、第１画像データと称する）と表示すべき領域の座標とを示す第１画像信号に替えて、第１画像データより小さい階調値（以下、第２画像データと称する）と制御領域の座標とを示す第２画像信号を表示パネル制御部２１に出力する。第２画像データは、例えば、第１画像データの各階調値に０．５を乗算した値とするが、第１画像データより小さい階調値であればこれに限らない。
【００４５】
以上をまとめると、本実施形態において、第１画像データの階調値は本発明の第１の階調値の一例であり、第２画像データの階調値は本発明の第２の階調値の一例である。また、制御部４０及び表示パネル制御部２１は本発明の特定手段及び制御手段の一例である。
【００４６】
（動作）
図７は、本実施形態における表示装置１の動作フローを示す図である。以下、図７を用いて表示装置１の動作例について説明する。なお、本動作例においては、表示装置１は予め電源スイッチがオンにされ、操作部６０を介して記憶部５０内の画像データを表示させる操作がユーザによってなされたものとして説明する。
【００４７】
制御部４０は、記憶部５０から指示された画像データを読み出し、読み出した画像データ（第１画像データ）を示す第１画像信号を表示パネル制御部２１へ出力する。表示パネル制御部２１は、ゲートドライバ２０１によりゲート線２０３を介して走査信号を表示パネル２０に出力する。また、ソースドライバ２０２により、第１画像データを電圧信号に変換し、各ソース線２０４を介して表示パネル２０に電圧信号を出力する（ステップＳ２１）。これにより、表示パネル２０には、第１画像データに予め設定された階調の画像が表示される。
【００４８】
ユーザがタッチパネル１０に触れると、タッチパネル制御部１１は、タッチパネル１０の接触位置を示す位置情報を制御部４０に送出する(ステップＳ１２：ＹＥＳ)。制御部４０は、タッチパネル制御部１１から位置情報を取得して、計時部７０により計時を開始し、位置情報に基づいて制御領域の座標を求める（ステップＳ１３）。
【００４９】
制御部４０は、制御領域以外の他の領域に表示すべき画像データについては、表示すべき領域の座標と第１画像データとを示す第１画像信号を表示パネル制御部２１へ出力する。また、制御領域に表示すべき画像データについては、制御領域の座標と画像データのＲＧＢ値に０．５を乗算した第２画像データを示す第２画像信号を表示パネル制御部２１へ出力する（ステップＳ２４）。
【００５０】
制御部４０は、タッチパネル制御部１１によって次の接触位置を示す位置情報が送出されず（ステップＳ１５：ＮＯ）、計時部７０によって計時された時間が予め定められた時間を経過していなければ（ステップＳ１６：ＮＯ）、上述したステップＳ２４と同様の処理を継続して行う。これにより、制御領域には、予め設定されている階調より低い階調の画像が表示され、制御領域以外の他の領域より暗く表示される。
【００５１】
また、制御部４０は、計時部７０によって計時された時間が予め定められた時間を経過し（ステップＳ１６：ＹＥＳ）、操作部６０を介して電源をオフにする操作がなされなければ（ステップＳ１７：ＮＯ）、上述したステップＳ２１と同様の処理を行う。これにより、制御領域と他の領域との階調差が小さくなり、表示領域は一定の明るさで表示される。制御部４０は、操作部６０を介して電源をオフにする操作がなされると（ステップＳ１７：ＹＥＳ）、現在の制御領域を解除して表示制御の処理を終了する。
【００５２】
上述した第２の実施形態では、タッチパネル１０にユーザの指が接触した場合、制御領域に表示すべき画像データについては予め設定されている階調値を小さくした第２画像データが表示パネル制御部２１に出力される。これにより、制御領域と他の領域との間の階調差が大きくなり、制御領域は他の領域よりも暗い画像が表示される。その結果、タッチパネル１０に入力するユーザの位置において画面の眩しさが軽減され、入力するユーザの視認性が向上する。
【００５３】
（第３の実施形態）
上述した第２の実施形態では、制御領域に表示される画像データの階調値を変えることで制御領域の眩輝感を調整する例を説明した。本実施形態では、制御領域に表示される画像データに応じた表示パネル２０への印加電圧を変えることで制御領域の眩輝感を調整する例について説明する。以下、上述した第１及び第２の実施形態と異なる部分について説明する。
【００５４】
図８は、本実施形態における表示パネル２０と接続されている各部を示す図である。ソースドライバ２０２Ａは、第１電圧変換部２０２ｂ及び第２電圧変換部２０２ｃを有する。第１電圧変換部２０２ｂ及び第２電圧変換部２０２ｃは、各々アナログデジタル変換回路で構成される。
【００５５】
第１電圧変換部２０２ｂは、ＲＧＢ毎の図９に例示する電圧変換曲線Ａに基づいて画像データを電圧信号に変換する。電圧変換曲線Ａは、第１の実施形態と同様、液晶層のガンマ特性に応じて予め定められた電圧変換曲線である。また、第２電圧変換部２０２ｃは、ＲＧＢ毎の図９に例示する電圧変換曲線Ｂに基づいて画像データを電圧信号に変換する。図９に示すように、電圧変換曲線Ｂは電圧変換曲線Ａと比べて、同じ画像データの値に対する電圧値が小さくなっている。つまり、第２電圧変換部２０２ｃを用いて電圧変換を行った場合には、第１電圧変換部２０２ｂを用いて電圧変換を行う場合と比べて、表示パネル２０に表示される画像が暗く表示される。
【００５６】
制御部４０は、タッチパネル１０にユーザの指が接触した場合には、表示パネル２０に表示すべき画像データのうち、制御領域に表示すべき画像データについては、その画像データと制御領域を示す信号（制御領域の座標及び制御領域であること）を出力する。一方、制御領域ではない他の領域に表示すべき画像データについては、その画像データと表示領域を示す信号とを表示パネル制御部２１へ出力する。
【００５７】
表示パネル制御部２１は、制御領域に対する画像データを制御部４０から受け付けると、ソースドライバ２０２Ａにおいて、第２電圧変換部２０２ｃにより画像データを電圧信号に変換して各ソース線２０４に出力する。また、制御領域ではない他の表示領域に対する画像データを制御部４０から受け付けると、ソースドライバ２０２Ａにおいて、第１電圧変換部２０２ｂにより画像データを電圧信号に変換して各ソース線２０４に出力する。
【００５８】
以上をまとめると、本実施形態において、第１電圧変換部２０２ｂによって変換された電圧値は本発明の第１の電圧値の一例であり、第２電圧変換部２０２ｃによって変換された電圧値は本発明の第２の電圧値の一例である。制御部４０及び表示パネル制御部４０は、本発明の特定手段及び制御手段の一例である。
【００５９】
（動作）
図１０は、本実施形態における表示装置１の動作フローを示す図である。以下、図１０を用いて表示装置１の動作例を説明する。なお、本動作例においては、表示装置１は予め電源スイッチがオンにされ、操作部６０を介して記憶部５０内の画像データを表示させる操作がユーザによってなされたものとして説明する。
【００６０】
制御部４０は、記憶部５０から画像データを読み出し、表示パネル制御部２１へ画像データを出力する。表示パネル制御部２１は、ゲートドライバ２０１によりゲート線２０３を介して走査信号を表示パネル２０に出力する。また、ソースドライバ２０２Ａの第１電圧変換部２０２ｂにおいて画像データを電圧信号に変換し、各ソース線２０４を介して表示パネル２０に電圧信号を出力する（ステップＳ３１）。これにより、表示パネル２０には画像データに予め定められた色の画像が表示される。
【００６１】
ユーザがタッチパネル１０に触れると、タッチパネル制御部１１は、タッチパネル１０の接触位置を示す位置情報を制御部４０に送出する(ステップＳ１２：ＹＥＳ)。制御部４０は、タッチパネル制御部１１から位置情報を取得して、計時部７０により計時を開始し、位置情報に基づいて制御領域の座標を求める（ステップＳ１３）。
【００６２】
制御部４０は、制御領域に表示すべき画像データと制御領域を示す信号とを表示パネル制御部２１へ出力する。また、制御部４０は、制御領域ではない他の領域に表示すべき画像データについては、その画像データと表示領域を示す信号を表示パネル制御部２１へ出力する。表示パネル制御部２１は、制御領域に対する画像データを制御部４０から受け付けると、ソースドライバ２０２Ａにおいて第２電圧変換部２０２ｃにより画像データを電圧信号に変換する。また、制御領域ではない他の領域に対する画像データを制御部４０から受け付けると、ソースドライバ２０２Ａにおいて第１電圧変換部２０２ｂにより画像データを電圧信号に変換する。そして、ソースドライバ２０２Ａにより、各ソース線２０４を介して表示パネル２０に電圧信号を出力する（ステップＳ３４）。これにより、制御領域には、表示すべき画像データに予め定められている明るさより暗い画像が表示される。
【００６３】
制御部４０は、タッチパネル制御部１１によって次の接触位置を示す位置情報が送出されず（ステップＳ１５：ＮＯ）、計時部７０によって計時された時間が予め定められた時間を経過していなければ（ステップＳ１６：ＮＯ）、上述したステップＳ３４と同様の処理を継続して行う。
【００６４】
また、制御部４０は、計時部７０によって計時された時間が予め定められた時間を経過し（ステップＳ１６：ＹＥＳ）、表示装置１の電源がオフの状態でなければ（ステップＳ１７：ＮＯ）、上述したステップＳ３１の処理を行う。これにより、全ての表示領域において、表示すべき画像データに予め定められている明るさで画像が表示される。制御部４０は、表示装置１の電源をオフにする操作信号を操作部６０を介して受け付けると（ステップＳ１７：ＹＥＳ）、現在の制御領域を解除して表示制御の処理を終了する。
【００６５】
上述した第３の実施形態では、タッチパネル１０にユーザの指が接触した場合、制御領域に表示すべき画像データは、画像データに定められている明るさより暗い画像となる電圧信号に変換される。そのため、画像データの階調値を小さくすることにより制御領域の眩輝感を調整する第２の実施形態と比べ、階調つぶれを生じさせることなく、入力するユーザの視認性を向上させることができる。
【００６６】
（第４の実施形態）
図１１Ａは、本実施形態に係る表示装置１Ａの構成例を示すブロック図である。図１１Ａにおいて、第１の実施形態と同じ構成については第１の実施形態の構成と同じ符号を付している。図１１Ａに示すように、表示装置１Ａは、フィルター８０とフィルター制御部８１とを有する。本実施形態において、フィルター８０は、図１１Ｂに示すように、タッチパネル１０の上面、つまり、入力するユーザの側に設けられている。なお、フィルター８０が設けられる位置はこれに限らず、タッチパネル１０と表示パネル２０との間に設けられていてもよいし、表示パネル２０とバックライト３０との間に設けられていてもよい。
【００６７】
フィルター８０は、例えば、表示パネル２０と同様の液晶パネルなどで構成される。フィルター制御部８１は、ＣＰＵとメモリ（ＲＯＭ及びＲＡＭ）を有する。フィルター制御部８１は、制御部４０Ａからの信号に応じてフィルター８０の表示領域に対応する部分に画像を表示させる。具体的には、制御領域に対応するフィルター８０の部分は例えば中間調の画像（以下、第１フィルター画像と称する）を表示し、他の部分は白色の画像（以下、第２フィルター画像と称する）を表示する。フィルター８０においてこのような画像を表示することにより、表示パネル２０の制御領域に表示される画像に中間調の画像が重なって表示される。なお、本実施形態では、第１フィルター画像として中間調の画像を表示し、第２フィルター画像として白色の画像を表示する例であるが、第１フィルター画像及び第２フィルター画像は、表示領域に表示される画像をユーザが視認できる程度の明度の色であればよく、第１フィルター画像は第２フィルター画像より明度が低い色であればよい。
【００６８】
制御部４０Ａは、フィルター８０の表面がユーザの指で押圧されてタッチパネル１０に押圧部分が接触すると、接触位置を基準とする制御領域に対応するフィルター８０の部分の座標（以下、第１フィルター領域と称する）と、第１フィルター領域に表示すべき第１フィルター画像データとを示す信号をフィルター制御部８１に出力する。また、制御部４０Ａは、制御領域以外の他の領域に対応するフィルター８０の部分の座標（以下、第２フィルター領域と称する）と、第２フィルター領域に表示すべき第２フィルター画像データをフィルター制御部８１に出力する。
【００６９】
以上をまとめると、本実施形態において、フィルター８０による第２フィルター画像の表示は本発明の第１表示条件の一例であり、フィルター８０による第１フィルター画像の表示は本発明の第２表示条件の一例である。制御部４０Ａ及びフィルター制御部８１は、本発明の特定手段及び制御手段の一例である。
【００７０】
（動作）
図１２は、本実施形態における表示装置１Ａの動作フローを示す図である。以下、図１２を用いて表示装置１Ａの動作例について説明する。なお、本動作例においては、表示装置１は予め電源スイッチがオンにされたものとして説明する。
【００７１】
制御部４０Ａは、全表示領域に対応するフィルター８０の部分に表示すべき第２フィルター画像データをフィルター制御部８１へ出力する。フィルター制御部８１は第２フィルター画像データに応じた電圧信号をフィルター８０に出力する（ステップＳ４１）。これにより、全表示領域に対応するフィルター８０の部分に白色の画像が表示される。つまり、この状態は、バックライト３０から照射された光が表示パネル２０、タッチパネル１０、及びフィルター８０を透過してユーザの側に放射され、表示装置１Ａの画面の明るさが均一になっている状態である。
【００７２】
ユーザがフィルター８０を介してタッチパネル１０に触れると、タッチパネル制御部１１は、タッチパネル１０の接触位置を示す位置情報を制御部４０Ａに送出する(ステップＳ１２：ＹＥＳ)。制御部４０Ａは、タッチパネル制御部１１から位置情報を取得して、計時部７０により計時を開始し、位置情報に基づいて制御領域の座標を求める（ステップＳ１３）。
【００７３】
制御部４０Ａは、一定時間毎に、制御領域に対応する第１フィルター領域の座標と第１フィルター領域に表示すべき第１フィルター画像データとを示す信号をフィルター制御部８１に出力すると共に、他の領域に対応する第２フィルター領域の座標と第２フィルター領域に表示すべき第２フィルター画像データとを示す信号をフィルター制御部８１に出力する。フィルター制御部８１は、制御部４０Ａからの信号に基づき、第１フィルター領域に対する第１フィルター画像データに応じた電圧信号をフィルター８０に出力し、第２フィルター領域に対する第２フィルター画像データに応じた電圧信号をフィルター８０に出力する（ステップＳ４４）。これにより、制御領域に対応するフィルター８０の第１フィルター領域は中間調の画像が表示され、第２フィルター領域には白色の画像が表示される。
【００７４】
制御部４０Ａは、タッチパネル制御部１１によって次の接触位置を示す位置情報が送出されず（ステップＳ１５：ＮＯ）、計時部７０によって計時された時間が予め定められた時間を経過していなければ（ステップＳ１６：ＮＯ）、上述したステップＳ４４と同様の処理を継続して行う。また、制御部４０は、計時部７０によって計時された時間が予め定められた時間を経過し（ステップＳ１６：ＹＥＳ）、操作部６０を介して電源をオフにする操作がなければ（ステップＳ１７：ＮＯ）、上述したステップＳ４１の処理を行う。これにより、全表示領域に対応するフィルター８０の部分は白色に表示される。
【００７５】
上述した第４の実施形態では、フィルター８０を介してタッチパネル１０に接触された場合、制御領域に対応する第１フィルター領域には灰色の画像が表示され、他の領域に対応する第２フィルター領域には白色の画像が表示される。その結果、制御領域は他の領域よりも暗く表示されるので、入力を行うユーザの位置では画面から放射される光による眩しさが軽減され、視認性が向上する。
【００７６】
（変形例）
以上、本発明についての実施形態を説明したが、本発明は上述の実施形態のみに限定されず、以下の各変形例の態様及び各変形例を組み合わせた態様も本発明の範囲に含まれる。
【００７７】
（１）上述した第１〜第４の実施形態において、表示装置１の周囲の明るさを検出し、検出結果に応じて、制御領域と他の領域の明るさを制御するようにしてもよい。各実施形態において、検出された周囲の明るさと制御領域及び他の領域の明るさとの関係を、図１３に示す直線Ｘ，Ｙで示される一次関数により予め定義する。制御部４０は、図１３に基づき、タッチパネル１０に接触されたときに検出された周囲の明るさに応じて制御領域及び他の領域の明るさを求める。制御部４０は、少なくとも制御領域が求めた明るさとなるように制御する。
【００７８】
つまり、第１の実施形態の場合には、制御部４０は、求めた明るさとなるように、バックライト制御部３１において、制御領域と他の領域に対応する各光源３０１の点灯を制御するようにしてもよい。
【００７９】
また、第２の実施形態の場合には、制御部４０は、求めた制御領域の明るさとなるように、制御領域に表示すべき画像データのＲＧＢの各階調値を調整する。この場合、例えば、表示装置１は、制御領域の明るさに応じた各階調値を調整するための係数を制御部４０のＲＯＭ内に予め記憶する。そして、制御部４０は、求めた明るさに対応する係数をＲＯＭから読み出し、その係数を用いて制御領域に表示すべき画像データのＲＧＢの階調値を調整してもよい。
【００８０】
また、第３の実施形態の場合には、制御部４０は、表示パネル制御部２１において、求めた制御領域の明るさとなるように、制御領域に表示すべき画像データの電圧値を調整する。この場合、例えば、第２電圧変換部２０２ｃで変換した第２の電圧値を予め定めた明るさに対応する電圧値とする。そして、表示パネル制御部２１により、制御領域の明るさと第２電圧値とをパラメータとする所定の演算式を用い、求めた制御領域の明るさに対応する電圧値を算出し、算出した電圧値となるように第２の電圧値を調整してもよい。
【００８１】
また、第４の実施形態の場合には、制御部４０は、制御領域に対応する第１フィルター領域に表示させる第１フィルター画像として、求めた制御領域の明るさに応じた明度の画像データをフィルター制御部８１に出力する。この場合、例えば、表示装置１は、制御領域の明るさと第１フィルター画像の明度との関係を定義した情報を制御部４０のＲＯＭ内に予め記憶する。そして、制御部４０は、求めた明るさに対応する明度の情報をＲＯＭから読み出し、その明度の情報に基づいて第１フィルター画像の画像データを表示パネル制御部２１へ出力するようにしてもよい。上記いずれの場合も表示装置１，１Ａにおいて、周囲の明るさを検出する光検出手段の一例として、例えば照度センサを設けるように構成してもよい。
【００８２】
（２）上述した第１〜第４の実施形態において、制御領域の明るさを制御する際、段階的に明るさを変えるようにしてもよい。例えば、第１の実施形態では、制御領域の輝度が第１輝度から徐々に第２輝度となるように、バックライト制御部３１は、予め定められた各輝度に応じた電圧信号を予め定めた時間に従ってバックライト３０に出力するようにする。なお、第２輝度から第１輝度に戻す場合も、第２輝度から第１輝度になるまで各輝度に応じた電圧信号を予め定めた時間に従ってバックライト３０に出力するようにする。
【００８３】
また、第２の実施形態では、第１画像データから第２画像データの階調となるように制御領域に表示すべき画像データの階調を制御する際、制御部４０は、例えば、第１画像データの階調値に乗算する係数（＜１）を変化させた各階調値を予め定めた時間に従って表示パネル制御部２１へ出力する。そして、表示パネル制御部２１から各階調値に応じた電圧信号を表示パネル２０に出力させるようにしてもよい。なお、制御領域において第２画像データから第１画像データに戻す場合は、上記とは逆の順序で各階調値を予め定めた時間に従って表示パネル制御部２１へ出力するようにする。
【００８４】
また、第３の実施形態では、電圧変換曲線ＡとＢに基づく各電圧値の間の電圧値となるように画像データと電圧との関係を定めた電圧変換曲線Ｃを設定する。そして、パネル制御部２１において、電圧変換曲線Ａ、Ｃ、Ｂを予め定めた時間に従って順次用い、制御領域に表示すべき画像データを電圧信号に変換し、変換した電圧信号を表示パネル３０に出力するようにする。また、制御領域に対し、電圧変換曲線Ｂに基づく電圧値から電圧変換曲線Ａに基づく電圧値に変化させる場合、電圧変換曲線Ｂ、Ｃ、Ａを予め定めた時間に従って順次用いるようにする。なお、電圧変換曲線Ｃは、１つだけ定義されていてもよいし、複数定義されていてもよい。
【００８５】
また、第４の実施形態では、制御領域に対応する第１フィルター領域において、第２フィルター画像（白色画像）を第１フィルター画像（中間調画像）に制御する際、制御部４０は、上述した第２の実施形態と同様に、第２フィルター画像データの階調値を予め定めた時間に従って徐々に変化させた画像データをフィルター制御部８１へ出力するようにしてもよい。なお、制御領域において第１フィルター画像を第２フィルター画像に戻す場合は、上記と逆に第１フィルター画像データの階調値を予め定めた時間に従って徐々に変化させた画像データをフィルター制御部８１へ出力するようにする。また、第１フィルター画像データ及び第２フィルター画像データの階調値を調整する方法以外に、上述した第３の実施形態と同様、第２フィルター画像データと第１フィルター画像データに応じた電圧値を徐々に変化させるようにしてもよい。
【００８６】
（３）上述した第１〜第４の実施形態では、タッチパネル１０に入力するユーザが１人の場合の例であったが、入力するユーザが複数人であってもよい。この場合には、タッチパネル１０は、例えば静電容量式のタッチパネルを用い、同時に複数の接触位置を検出する。そして、各接触位置を基準とする制御領域に対し、上述した各実施形態と同様の表示制御を行うようにする。
【００８７】
（４）上述した第１〜第３の実施形態において、制御領域の色を変えるようにしてもよい。第１の実施形態の場合、バックライト３０は、ＲＧＢのＬＥＤを光源として備え、制御領域ではない他の領域には白色の光を照射し、制御領域に対しては白色以外の他の色の光を照射するようにしてもよい。例えば、制御領域には他の領域よりも暗い色の光を照射することにより、制御領域の画像は他の領域よりも暗く表示される。
【００８８】
第２の実施形態の場合、制御部４０は、制御領域に表示すべき画像データに応じた階調値を小さくして第１画像データの色とは異なる色の第２画像データを表示パネル制御部２１に出力するようにしてもよい。具体的には、ＲＧＢの画像データにおいて、例えば、Ｒ及びＧの階調値については係数を乗算し、Ｂの階調値については調整を行わずに表示パネル制御部２１に出力してもよい。これにより、制御領域には、第２の実施形態と比べて青みがかった色の画像が表示される。
【００８９】
また、第３の実施形態の場合、表示パネル制御部２１は、第２電圧変換部２０２ｃにおいて、制御領域に対する画像データに定められている色とは異なるように第１の電圧値より小さい第２の電圧値に画像データを変換して各ソース線２０４に出力するようにしてもよい。具体的には、ＲＧＢの画像データのうち、ＲとＧの画像データについては第２電圧変換部２０２ｃにより電圧変換を行い、Ｂの画像データについては第１電圧変換部２０２ｂにより電圧変換を行うようにしてもよい。これにより、制御領域には、第３の実施形態と比べて青みがかった画像が表示される。
【００９０】
つまり、第２及び第３の実施形態の場合には、制御領域に表示すべき画像データのＲＧＢの各々に対して同様の調整を行っているため、調整後の画像と調整前の画像の色相は同等であるが明度が異なる。本変形例では、ＲＧＢの各々に対して同様の調整を行っていないため、調整後の画像と調整前の画像の色相が異なる。
【００９１】
（５）上述した第１〜第４の実施形態において、タッチパネル１０に入力するユーザの顔を検出する検出手段を表示装置１，１Ａに設けるように構成してもよい。本変形例において、検出手段は、例えば、カメラなどの撮影装置である。本変形例では、制御部４０は、撮影装置で撮影されたユーザの顔が、タッチパネル１０の方向、すなわち、表示領域の方向を向いていない場合、上述した第１〜第４の実施形態の表示制御処理を行わないようにする。つまり、入力するユーザがタッチパネル１０の方向を見ていない場合には、制御領域の明るさを制御する必要がない。そのため、タッチパネル１０にユーザの指が接触した場合であっても、ユーザの顔がタッチパネル１０の方向を向いていない場合には制御領域の明るさを変化させないようにする。なお、撮影装置は、入力するユーザがタッチパネル１０の方向を向いている状態においてユーザの顔が撮影されるように設置される。制御部４０は、撮影された画像データを解析し、撮影された被写体のうち撮影装置から予め定められた距離範囲内の人物を入力するユーザとして特定する。そして、その人物の顔が認識できない場合に、入力するユーザの顔がタッチパネル１０の方向を向いていないと判断し、その人物の顔が認識できた場合にはタッチパネル１０の方向に入力するユーザの顔が向いていると判断する。本変形例における検出手段と制御部は本発明の顔検出手段の一例である。
【００９２】
（６）上述した第２の実施形態では、画像データの色をＲＧＢの色空間で表す例であったが、ＹＵＶの色空間で表してもよい。この場合、全表示領域に表示すべき各画像データの色を示す第１のＹＵＶ値（第１の階調値の一例）に従って全表示領域に画像を表示することを第１表示条件とする。また、接触領域に表示すべき画像データの色を示す第１のＹＵＶ値のうち、輝度を示すＹ値に１未満の所定の係数を乗算した第２のＹＵＶ値（第２の階調値の一例）に従って制御領域に画像を表示し、他の領域に表示すべき画像データの色を示す第１のＹＵＶ値に従って他の領域に画像を表示することを第２表示条件とする。
【００９３】
（７）上述した第２及び第４の実施形態において、表示パネル２０は有機ＥＬ（Electro Luminescence）パネル又はＬＥＤパネルであってもよい。また、第３の実施形態において、有機ＥＬパネル又はＬＥＤパネルを用いて表示パネル２０を構成する場合、表示パネル制御部２１は、画像データを電流信号（第１の電流値、第２の電流値）に変換するアナログデジタル変換回路を備え、画像データに対応する電流信号を表示パネル２０に出力するようにする。また、上述した第２〜第４の実施形態において、表示パネル２０はＰＤＰ（Plasma Display Panel）であってもよい。
【００９４】
（８）上述した第１の実施形態において、表示装置１の制御部４０及びバックライト制御部３１の機能を有する表示制御装置を別体として設けるようにしてもよい。また、第２の実施形態において、制御部４０の機能を有する表示制御装置を別体として設けるようにしてもよい。また、第３の実施形態において、制御部４０及び表示パネル制御部２１の機能を備える表示制御装置を別体として設けるようにしてもよい。また、第４の実施形態において、制御部４０Ａ及びフィルター制御部８１の機能を備える表示制御装置を別体として設けるようにしてもよい。
【００９５】
（９）上述した第１〜第４の実施形態及び変形例の表示装置は、電子黒板以外に電子看板（Digital Signage）などに利用されうる。
【符号の説明】
【００９６】
１，１Ａ…表示装置、１０…タッチパネル、１１…タッチパネル制御部、２０…表示パネル、２１…表示パネル制御部、３０…バックライト、３１…バックライト制御部、４０，４０Ａ…制御部、５０…記憶部、６０…操作部、７０…計時部、８０…フィルター、８１…フィルター制御部、２０１…ゲートドライバ、２０２…ソースドライバ、２０２ａ…電圧変換部、２０２ｂ…第１電圧変換部、２０２ｃ…第２電圧変換部、２０３…ゲート線、２０４…ソース線、３０１…光源
【図１】
2015121567.tif 000003
【図２】
2015121567.tif 000004
【図３】
2015121567.tif 000005
【図４】
2015121567.tif 000006
【図５Ａ】
2015121567.tif 000007
【図５Ｂ】
2015121567.tif 000008
【図５Ｃ】
2015121567.tif 000009
【図６】
2015121567.tif 000010
【図７】
2015121567.tif 000011
【図８】
2015121567.tif 000012
【図９】
2015121567.tif 000013
【図１０】
2015121567.tif 000014
【図１１Ａ】
2015121567.tif 000015
【図１１Ｂ】
2015121567.tif 000016
【図１２】
2015121567.tif 000017
【図１３】
2015121567.tif 000018